(57)【特許請求の範囲】
【請求項１】
少なくとも所望の電話番号が予め登録されているアドレス帳を含む個人情報管理部と、
アンテナ状態及び電池残量を少なくとも表示する第１の表示領域と、発信者番号、発信者の氏名、テンキー及び画像を選択的に表示する第２の表示領域と、保留ボタン、通話ボタン、通話切断ボタン、音量制御ボタン及び番号参照ボタンを選択的に表示する第３の表示領域とにより各種表示を行う表示部と、
発信時に、前記表示部の前記第２の表示領域に前記テンキーを表示させると共に、前記表示部の前記第３の表示領域に前記通話ボタンを表示させ、発信すべき電話番号を前記第２の表示領域に表示されている前記テンキー中の数字キーを順次選択して入力した後、前記第３の表示領域に表示されている前記通話ボタンを選択して発信する電話番号入力手段と、
無線送受信を行う送受信手段と、
使用者の音声を収音して音声信号に変換して送信音声信号として前記送受信手段へ供給し、該送受信手段により受信された信号から相手音声信号を取り出して音声に変換して発音する音声入出力部と、
前記使用者の画像を撮像して画像信号を出力する撮像部と、
前記画像信号に機種識別用の識別子を付与する識別子付与手段と、
前記送受信手段により受信された信号中に前記識別子が存在するときは、相手端末装置が自己と同一機種であると判別し、前記識別子が存在しないときは、相手端末装置が自己と異なる異機種であると判別すると共に、前記表示部の前記第２の表示領域での画像表示を禁止する機種判別部と、
着信時に前記機種判別部により相手端末装置が自己と同一機種であると判別されたときは、前記送受信手段により受信された信号から前記画像信号を取り出して前記表示部に供給して前記第２の表示領域に動画像としてリアルタイムで表示させ、着信時に前記機種判別部により相手端末装置が異機種であると判別されたときは、前記送受信手段により受信された信号を前記音声入出力部へ供給して音声を発音させ、発信時は前記識別子付与手段により前記識別子が付与された前記画像信号を処理して前記送受信手段に送信画像信号として供給する画像処理手段と、
着信時は前記送受信手段を介して入力された受信信号中から抽出した発信者電話番号が、前記アドレス帳に登録されているか比較照合し、登録されている場合はその登録された電話番号に対応して該アドレス帳に記憶されている氏名を前記表示部の前記第２の表示領域に着信表示させ、登録されていないときには前記発信者電話番号をそのまま前記表示部の前記第２の表示領域に着信表示させる抽出手段と
を有することを特徴とする携帯情報端末装置。
【請求項２】
前記表示部の前記第３の表示領域に前記番号参照ボタンと前記通話ボタンとを表示させると共に、該番号参照ボタンの選択時に前記アドレス帳に登録されている電話番号を前記表示部の前記第２の表示領域に一覧表示させて、発信のための電話番号を選択可能とする表示制御手段を有することを特徴とする請求項１記載の携帯情報端末装置。
【請求項３】
自己と同一機種である相手端末装置との通話中に、前記画像処理手段により前記表示部に供給されて前記第２の表示領域に表示されている前記相手端末装置の使用者の画像信号を静止画として該相手端末装置の電話番号と対応付けて記憶する記憶手段を更に有し、前記抽出手段は、着信時に前記送受信手段を介して入力された受信信号中から抽出した発信者電話番号が、前記記憶手段に登録されているか比較照合し、登録されている場合はその登録された電話番号に対応して該記憶手段に記憶されている前記静止画を前記表示部の前記第２の表示領域に着信表示させ、登録されていないときには前記発信者電話番号をそのまま前記表示部の前記第２の表示領域に着信表示させる手段であることを特徴とする請求項１又は２記載の携帯情報端末装置。
【発明の詳細な説明】
【０００１】
【発明の属する技術分野】
本発明は携帯情報端末装置に係り、特にＰＤＡ（Personal Digital Assistant）と称する携帯情報端末装置に関する。
【０００２】
【従来の技術】
従来より、コンピュータと通信の融合を指向した携帯情報端末装置として、スケジュール管理機能、ペン入力機能、情報検索機能などを備えたＰＤＡが知られている。このＰＤＡは、片手で持てるために持ち歩きやすく、また、ペンによる簡単な操作で入力ができるという特長があり、電子手帳やシステム手帳などとして使用可能である。
【０００３】
しかし、このＰＤＡは携帯電話機よりも大きな表示部を有しているが、電話機能を有していない。そこで、このＰＤＡに電話機能を持たせ、更に撮像部と動画処理部を搭載して相手の画像を見ながら通話できるような携帯情報端末装置が考えられる。
【０００４】
他方、相手の画像を見ながら通話できる携帯情報端末装置として、通信先を示す情報と画像情報とを対応付けた複数組の情報を記憶する記憶手段と、記憶手段によって記憶された複数組の情報から１組の情報毎に、その画像情報を表示装置において表示させる表示手段と、表示手段によって画像情報が表示された時点での通信実行の指示に応じて、表示中の画像情報に対応して前記記憶手段によって記憶された通信先を示す情報をもとに通信を実行する通信手段とを具備した携帯情報端末装置が従来より知られている（特開２０００−２５３３７３公報）。
【０００５】
この従来の携帯情報端末装置によれば、記憶手段に記憶された電話番号を用いて発信を行う際に、発信対象とする電話番号の検索が１件分毎に表示される画像情報（通話相手の顔画像）を確認しながら行うことができる。
【０００６】
【発明が解決しようとする課題】
しかるに、上記の従来の携帯情報端末装置では、相手機種に応じて着信して発信者の相手画像を確認して着信応答することができず、また、相手の表情を見ながら通話することができない。
【０００７】
本発明は以上の点に鑑みなされたもので、相手機種に応じた着信時に相手画像を確認して着信応答し得る携帯情報端末装置を提供することを目的とする。
【０００８】
また、本発明の他の目的は、相手の表情を見ながら通話し得る携帯情報端末装置を提供することにある。
【０００９】
【課題を解決するための手段】
本発明は上記の目的を達成するため、少なくとも所望の電話番号が予め登録されているアドレス帳を含む個人情報管理部と、アンテナ状態及び電池残量を少なくとも表示する第１の表示領域と、発信者番号、発信者の氏名、テンキー及び画像を選択的に表示する第２の表示領域と、保留ボタン、通話ボタン、通話切断ボタン、音量制御ボタン及び番号参照ボタンを選択的に表示する第３の表示領域とにより各種表示を行う表示部と、発信時に、表示部の第２の表示領域にテンキーを表示させると共に、表示部の第３の表示領域に通話ボタンを表示させ、発信すべき電話番号を第２の表示領域に表示されているテンキー中の数字キーを順次選択して入力した後、第３の表示領域に表示されている通話ボタンを選択して発信する電話番号入力手段と、無線送受信を行う送受信手段と、使用者の音声を収音して音声信号に変換して送信音声信号として送受信手段へ供給し、送受信手段により受信された信号から相手音声信号を取り出して音声に変換して発音する音声入出力部と、使用者の画像を撮像して画像信号を出力する撮像部と、画像信号に機種識別用の識別子を付与する識別子付与手段と、送受信手段により受信された信号中に識別子が存在するときは、相手端末装置が自己と同一機種であると判別し、識別子が存在しないときは、相手端末装置が自己と異なる異機種であると判別すると共に、表示部の第２の表示領域での画像表示を禁止する機種判別部と、着信時に機種判別部により相手端末装置が自己と同一機種であると判別されたときは、送受信手段により受信された信号から画像信号を取り出して表示部に供給して第２の表示領域に動画像としてリアルタイムで表示させ、着信時に機種判別部により相手端末装置が異機種であると判別されたときは、送受信手段により受信された信号を音声入出力部へ供給して音声を発音させ、発信時は識別子付与手段により識別子が付与された画像信号を処理して送受信手段に送信画像信号として供給する画像処理手段と、着信時は送受信手段を介して入力された受信信号中から抽出した発信者電話番号が、アドレス帳に登録されているか比較照合し、登録されている場合はその登録された電話番号に対応してアドレス帳に記憶されている氏名を表示部の第２の表示領域に着信表示させ、登録されていないときには発信者電話番号をそのまま表示部の第２の表示領域に着信表示させる抽出手段とを有する構成としたものである。
【００１０】
この発明では、電話番号入力手段により発信時に表示部の第２の表示領域に表示されたテンキーを使用して発信電話番号を入力する、ダイヤル部を有しないＰＤＡのような端末装置において、通話相手の端末装置が本発明と同一機種である場合には、発信者の画像に関する画像信号が発信側の端末装置の送受信手段から送信され、着信側の端末装置の画像処理手段で受信信号中から抽出された上記の画像信号を表示部の第２の表示領域で表示させるようにしたため、発信者の画像をリアルタイムに表示することができる。また、この発明では、通話相手の端末装置が本発明の機種と異なる場合には、画像表示を禁止して音声のみの通信ができる。
【００１２】
また、本発明は上記の目的を達成するため、表示部の第３の表示領域に番号参照ボタンと通話ボタンとを表示させると共に、番号参照ボタンの選択時にアドレス帳に登録されている電話番号を表示部の第２の表示領域に一覧表示させて、発信のための電話番号を選択可能とする表示制御手段を有することを特徴とする。この発明では、アドレス帳に登録されている電話番号を第２の表示領域に一覧表示し、その一覧表示されている電話番号中から発信しようとする電話番号を選択して、第２の表示領域とは異なる第３の表示領域に表示される通話ボタンを選択することで簡単に発信ができる。
【００１３】
また、本発明は上記の目的を達成するため、自己と同一機種である相手端末装置との通話中に、画像処理手段により表示部に供給されて第２の表示領域に表示されている相手端末装置の使用者の画像信号を静止画として相手端末装置の電話番号と対応付けて記憶する記憶手段を更に有し、抽出手段は、着信時に送受信手段を介して入力された受信信号中から抽出した発信者電話番号が、記憶手段に登録されているか比較照合し、登録されている場合はその登録された電話番号に対応して記憶手段に記憶されている静止画を表示部の第２の表示領域に着信表示させ、登録されていないときには発信者電話番号をそのまま表示部の第２の表示領域に着信表示させる手段であることを特徴とする。
【００１４】
この発明では、着信時に受信信号中から抽出した発信者電話番号が、記憶手段に登録されている場合はその登録された電話番号に対応して記憶手段に記憶されている、以前に通話した相手端末の使用者の静止画を表示部の第２の表示領域に着信表示させることができる。
【００１５】
【発明の実施の形態】
次に、本発明の実施の形態について図面と共に説明する。図１は本発明になる携帯情報端末装置の一実施の形態のブロック系統図を示す。同図に示すように、この実施の形態の携帯情報端末装置は、通話を行うための音声入出力部２７と、自分の姿（顔画像など）を映す撮像部１２と、個人情報管理のためのＰＩＭ（Personal Information Manager）部１３と、電話番号と氏名を参照するための電話番号及び氏名抽出部１４と、相手機種が自己と同一機種か否かを判断する機種判別部１５と、撮像部１２から送られてきた信号に本機種固有の識別子を付与する識別子付与処理部１６と、画像信号を処理する動画処理部１７と、各種の表示を行う表示部１８と、相手端末との無線通信を行うためにディジタル電話処理を行うＰＤＣ（Personal Digital Cellular）部１９とより構成されている。
【００１６】
撮像部１２は図２乃至図５に示すように、この装置の筐体２５の上部に設けられ、ユーザの顔画像などを撮像レンズ１２ａを介して撮像できるように配置されている。また、図２乃至図５に示すように、例えばユーザの頭部に装着されるヘッドホン及び口元付近に配置されるマイクとよりなる通話装置２７が筐体２５の音声入出力端子２６に接続されている。この通話装置２７は、前記音声入出力部１１の一部を構成しており、例えば携帯電話の別売品として販売されている機器と同様である。また、アンテナ２０の先端には、着信時に点滅するランプ２１が設けられている。
【００１７】
図１において、ＰＩＭ部１３は、スケジューラ１３ａ、カレンダー１３ｂ及びアドレス帳１３ｃが搭載されている。アドレス帳１３ｃには、氏名、住所、電話番号（普通（固定）電話や携帯電話）などの個人データが記憶されている。電話番号及び氏名抽出部１４は、アドレス帳１３ｃから電話番号及び氏名を抽出し、着信時には発信者番号とアドレス帳１３ｃの電話番号とを比較照合し、一致する電話番号があれば、その電話番号に対応する氏名をアドレス帳１３ｃから読み出して表示部１８に表示させ、一致する電話番号がなければ、発信者電話番号を表示部１８に表示させる。
【００１８】
識別子付与処理部１６は、撮像部１２で撮像されたユーザの姿を撮像して得られた画像信号に、この機種固有の識別子を付与する。動画処理部１７は入力された画像信号をリアルタイムで表示できるように処理する。機種判別部１５は、受信信号から上記の識別子が存在するかどうか検出し、存在すればこの機種を使用した信号であると判別し、存在しなければ異機種からの信号であると判別する。
【００１９】
表示部１８は、図２乃至図５に示すように、筐体２５の前面の殆どを占める大面積の表示部で、３つの表示領域１８ａ、１８ｂ及び１８ｃで表示を行う。なお、表示部１８には表示処理のための信号処理部が含まれる。第１の表示領域１８ａには、図中、左側から順にアンテナ状態、マナーモード、着信通知、電池残量を表示する。着信表示は、第１の表示領域１８ａでの着信通知以外に、筐体２５の上部に設けられた着信ランプ２８及びアンテナ２０の先端のランプ２１の点滅により同時に行われる。
【００２０】
第２の表示領域１８ｂには、発信者番号、発信者の氏名、テンキー、相手の画像などが表示される。更に、第３の表示領域１８ｃには、保留ボタン、通話ボタン、通話切断ボタン、音量制御ボタンなどの各種ボタンがモードに応じて適宜切り替え表示される。
【００２１】
ＰＤＣ部１９はアンテナ２０を介して最寄りの基地局との間で無線通信し、更に基地局から網を介して相手通信端末と通信を行う回路部で、既存のディジタル携帯電話と同じ周知の回路構成であるので、その詳細な説明は省略する。
【００２２】
次に、本実施の形態の動作について、図１乃至図５と共に説明する。まず、着信時の動作について説明する。着信時には、アンテナ２０で受信されＰＤＣ部１９で信号処理して得られた着信信号が電話番号及び氏名抽出部１４に供給されて、ここで着信信号中に発信者電話番号が含まれている場合は、アドレス帳１３ｃに事前に登録されている電話番号と比較照合される。発信者電話番号がアドレス帳１３ｃに登録されていない場合には、図２の装置外観斜視図に示すように、表示部１８の表示領域１８ｂに発信者電話番号をそのまま表示させる。
【００２３】
他方、電話番号及び氏名抽出部１４は、発信者電話番号と一致する電話番号が、アドレス帳１３ｃから抽出された電話番号中にあれば、その電話番号に対応する氏名をアドレス帳１３ｃから読み出して表示部１８に表示させる。これにより、表示部１８の表示領域１８ｂには、図３の装置外観斜視図に示すように、アドレス帳１３ｃから抽出した発信者の氏名と着信がある旨の表示が行われる。
【００２４】
なお、着信時には、図２及び図３に示す表示領域１８ｂでの着信の表示以外に、着信ランプ２８及びランプ２１の点滅によっても着信通知が同時になされる。また、図１では図示を省略したが、着信メロディも鳴動するように構成されている。ただし、マナーモードが設定されているときには、着信メロディは鳴動せず、表示部１８での表示、着信ランプ２８及びランプ２１の点滅によって着信が報知される。勿論、振動により着信報知することも可能であるが、これらは従来と同様の着信報知方法である。また、着信時には、表示領域１８ｃに保留ボタン３１及び通話ボタン３２が表示され、タッチペン２９で選択、実行できるようにされる。タッチペン２９は紛失防止のため、筐体２５に設けられたペンホルダ３０に収納可能とされている。
【００２５】
着信者がタッチペン２９で通話ボタン３２をタッチすると、ＰＤＣ部１９からアンテナ２０を介して応答通知がなされ、従来より公知の携帯電話の通話開始時のシーケンスを経て相手の端末との通話が開始される。通話が開始されると、アンテナ２０で受信されてＰＤＣ部１９から取り出された受信信号が音声入出力部１１に供給され、ここで音声用の信号処理が施されて相手端末からの音声が発音される一方、機種判別部１５に供給されて受信信号中に識別子が存在するかどうか判別される。
【００２６】
上記の識別子は、識別子付与処理部１６が付与する識別子と同じ識別子であり、相手端末装置もこの実施の形態と同じ構成の同一機種であれば、上記の受信信号中に上記の識別子が含まれているが、この実施の形態と異なる機種であれば、上記の識別子は受信信号中には含まれていない。そこで、機種判別部１５は、受信信号中に上記の識別子が含まれていることを検出したときには、相手端末装置がこの実施の形態と同一機種であると判別し、上記の識別子が含まれていないときには異機種であると判別する。
【００２７】
相手端末装置がこの実施の形態の携帯情報端末装置と同一機種であるときには、後述するように、音声信号と共に自分の（この場合、発信者の）姿の画像（通常は顔画像）の画像信号が多重されて送信されてくるので、同一機種であると判別したときには、受信信号は動画処理部１７に供給され、ここで画像信号が抽出されて所定の信号処理が施された後、表示部１８に供給される。この結果、図５の装置外観斜視図に示すように、表示領域１８ｂに発信者の動画像３６がリアルタイムで表示される。
【００２８】
また、このとき、表示領域１８ｃには図５に示すように、通話切断ボタン３７と音量制御ボタン３８が表示され、タッチペン２９で選択可能な状態とされる。通話切断ボタン３７がタッチペン２９でタッチされたときには、図１のＰＤＣ部１９から切断要求信号がアンテナ２０を介して送出されて通話切断処理が行われ、通常の携帯情報端末画面に戻る。音量制御ボタン３８は上向きの三角印のボタンと下向きの三角印のボタンからなり、前者をタッチペン２９でタッチする毎に所定音量ずつ音量が大となり、後者をタッチペン２９でタッチする毎に所定音量ずつ音量が小となる。この音量制御は、音声入出力部１１内に設けられた音声信号を増幅する増幅器の利得制御により可能である。
【００２９】
他方、機種判別部１５が、受信信号中に前記識別子が含まれていないことを検出して、相手機種が異機種であると判別したときには、異機種の場合は発信者の画像信号は送られてこないため、表示部１８に対して画像表示を行わないように制御する。音声信号に関しては、相手機種が同一機種であるか異機種であるかに関係なく、受信信号が音声入出力部１１に供給されて、受信信号中の音声信号が処理されて発音される。また、着信者の音声は、音声入出力部１１で音声信号に変換された後、ＰＤＣ部１９を通して相手端末へ送信される。このように、この実施の形態の携帯情報端末装置は、相手端末がこの実施の形態と同一構成の同一機種であるときには、動画付き電話機として発信者の表情を見ながら通話することができ、相手端末が異機種であるときには、音声のみの従来と同じ電話機として動作することになる。
【００３０】
なお、上記の説明では、着信応答してから発信者の画像が表示領域１８ｂに表示されるように説明したが、機種判別部１５による機種判別に従い、相手端末が同一機種であれば、表示領域１８ｂに図２あるいは図３の着信表示を行ってから、着信応答する前に自動的に図５に示した発信者の画像に切り替わるようにすることもできることは勿論であり、この場合には、着信者は発信者の画像を確認してから着信応答するかどうか決定することができる。
【００３１】
次に、本実施の形態の発信時の動作について説明する。発信時には、図４の装置外観斜視図に示すように、表示領域１８ｂにテンキー３３が表示されると共に、表示領域１８ｃに番号参照ボタン３４と通話ボタン３５とがそれぞれ表示される。これにより、テンキー３３中の数字キーをタッチペン２９で選択して相手先電話番号を入力した後、あるいは番号参照ボタン３４をタッチペン２９でタッチすると、図１の電話番号及び氏名抽出部１４がアドレス帳１３ｃに登録されている電話番号と氏名とを抽出して表示部１８の表示領域１８ｂに一覧表示する。この一覧表示中から相手先の電話番号又は氏名をタッチペン２９で選択した後、通話ボタン３５をタッチペン２９でタッチすることで発信ができるようにされている。
【００３２】
通話中は、発信者の画像が撮像部１２により撮像され、撮像部１２から出力される画像信号の例えば所定期間（ブランキング期間など）に識別子付与処理部１６で、この機種固有の識別子が付与された後、動画処理部１７で所定の画像処理が施された後、ＰＤＣ部１９に供給される。また、発信者の音声は音声入出力部１１で収音されて音声信号に変換された後、ＰＤＣ部１９に供給される。ＰＤＣ部１９は、入力された画像信号及び音声信号を多重して所定の信号形態に変換してアンテナ２０から無線送信する。このように、この実施の形態の携帯情報端末装置は、発信側では発信者の画像に関する画像信号を、識別子を付与して音声信号と共に送信する。
【００３３】
なお、本発明は上記の実施の形態に限定されるものではなく、その他種々の変形例が可能である。例えば、撮像部１２は図２乃至図５に示したように筐体２５に固定するのではなく、上下方向に回転可能な構造として、撮像方向の自由度を持たせてもよい。また、取り外し可能な構成とし、専用の接続機器を用いてプログラム側の処理により通常の携帯電話機にも使用可能としてもよい。
【００３４】
また、着信側において同一機種の携帯情報端末装置から受信した発信者の画像信号を、通話中に静止画としてメモリに発信者電話番号と対応付けて記憶するようにしてもよい。この場合、その後の着信時に相手電話番号を確認し、相手画像がメモリに記憶されていた場合に、応答前にそれを表示させ着信者に確認できるようにすることもできる。
【００３５】
【発明の効果】
以上説明したように、本発明によれば、通話相手の端末装置が本発明と同一機種である場合には、受信信号中から抽出された発信者の画像信号を表示部で表示させるようにしたため、相手端末装置が同一機種の場合には発信者の画像をリアルタイムに着信側端末装置で表示することができ、相手の表情を見ながら通話することができる。
【００３６】
また、本発明によれば、テンキー中の数字キーを順次選択して入力して発信する電話番号入力手段を有するようにしたため、端末装置がダイヤル部を有しないＰＤＡである場合でも、表示部に表示されたテンキーを使用して電話機能を実行することができる。
【００３７】
更に、本発明によれば、着信時に受信信号中から抽出した発信者電話番号が、記憶手段に登録されている場合はその登録された電話番号に対応して記憶手段に記憶されている、以前に通話した相手端末の使用者の静止画を表示部に着信表示させるようにしたため、着信時に発信者の画像を確認して着信応答するかどうか決定することができる。
【図面の簡単な説明】
【図１】本発明の一実施の形態のブロック系統図である。
【図２】本発明装置の着信時の一例の外観斜視図である。
【図３】本発明装置の着信時の他の例の外観斜視図である。
【図４】本発明装置の発信時の一例の外観斜視図である。
【図５】本発明装置の通話時の一例の外観斜視図である。
【符号の説明】
１１  音声入出力部
１２  撮像部
１３  ＰＩＭ部
１４  電話番号及び氏名抽出部
１５  機種判別部
１６  識別子付与処理部
１７  動画処理部
１８  表示部
１８ａ、１８ｂ、１８ｃ  表示領域
１９  ＰＤＣ部
２５  筐体
２７  通話装置
２８  着信ランプ
２９  タッチペン
３６  発信者画像
【図１】
0004306140.tif 000002
【図２】
0004306140.tif 000003
【図３】
0004306140.tif 000004
【図４】
0004306140.tif 000005
【図５】
0004306140.tif 000006